(57)【要約】【課題】  折り畳み可能であると共に、コンパクトで運搬可能な手織り機を具現化させることを課題とする。【解決の手段】  ロクロ位置、織布巻き取り部側板５１と経糸巻き付け部保持側板５０の開閉構造、前脚５３と後脚５４の回転可能構造により、運搬可能な収納高さを６０ｃｍ以下、収納奥行きを４０ｃｍ以下の折りたたみ収納サイズを可能にした。【選択図】図１
2006265800.tif 000002
【特許請求の範囲】
【請求項１】
経糸巻き付け部（１０）を保持する１組の経糸巻き付け部保持側板（５０）と、織布巻き取り部（１１）を保持して前記経糸巻き付け部保持側板（５０）に交差する１組の織布巻き取り部側板（５１）とを有し、それらの交点となる上部接点部（５２）を中心として２組の前記側板である経糸巻き付け部保持側板（５０）及び織布巻き取り部側板（５１）が開閉可能になる構造を有し、
経糸巻き付け部保持側板（５０）又は織布巻き取り部側板（５１）に、回転の中心点を持つ前脚（５３）又は後脚（５４）が回転可能に連結され、
収納時には、経糸巻き付け部（１０）と織布巻き取り部（１１）が接近することが可能で、製織時床面に接している前脚（５３）及び後脚（５４）の端部が経糸巻き付け部保持側板（５０）又は織布巻き取り部側板（５１）の前脚回転支点（５５）と後脚回転支点（５６）を中心として回転することにより経糸巻き付け部（１０）と織布巻き取り部（１１）に接近するようになっていることを特徴とする手織り機。
【請求項２】
２枚の綜絖枠（１２，１３）の下部相互間を連結する連結部材（４３）の中間部を２枚の綜絖枠（１２，１３）の相互間に配置されたロクロ（４０）に巻き掛けることによって、それら２枚の綜絖枠（１２，１３）が引き違い式に交互に上下動して経糸（６０）を開口させるように構成されていると共に、それぞれの綜絖枠（１２，１３）を２枚の足踏み板（４１，４１）に個別に連結してある請求項１に記載した手織り機。
【請求項３】
収納時に手織り機を分離せずに収納高さ（６２）を６０ｃｍ以下、収納奥行き（６３）経糸巻き付け部（１０）又は織布巻き取り部（１１）の回転軸と同心の歯車を４０ｃｍ以下に折りたためることを特徴とする請求項１又は請求項２に記載した手織り機。
【発明の詳細な説明】
【技術分野】
【０００１】
本発明は、手織り機に関する。
【背景技術】
【０００２】
手織り教室に通い手織りを受講する時、受講後自宅にて受講の続きを行ないたい場合は、運搬可能な簡易手織り機である卓上手織り機を用いるコースを選択するか、脱着型の綜絖及び巻き取り部を有する手織り機を手織り教室と自宅に保有し、脱着型の綜絖及び巻き取り部を持ち運ぶ方法しかなく、手織り教室に手織り機を持ち運び受講できる本格的な足踏みタイプの手織り機は存在していなかった。
【０００３】
この持ち運び受講できる本格的な足踏みタイプの手織り機は存在していなかった原因は従来の手織り機の収納のための構造が、手織り機を上下に分離した方式あるいは、手織り機をＸ型にし折りたたむ方式しか存在しておらず、収納後の高さと奥行きの両方をコンパクトにする方法が存在していなかったためである。
【０００４】
また、従来の綜絖に連結された足踏み板を操作することにより経糸を開口させる機構の２枚の綜絖枠を有する手織り機にあっては、綜絖枠の可動範囲より高い位置にロクロが設けられており、背丈の高い手織り機となっていた。
【０００５】
また、先行例には、手織り機の上部と下部が着脱自在となる手織り機が開示されおり（例えば、特許文献１参照）、他の先行例には、前後に並置された前脚及び後脚の交点を支軸により結合してなる脚体を備え、上記交点の支軸を支点とした上記前脚及び後脚の開閉作動に伴って、上記綜絖部と筬部の配設距離が伸縮されるようにしたことを特徴とする手織り機が開示されている（例えば、特許文献２参照）。
【特許文献１】特開平９- ２５６２４３号公報
【特許文献２】特開平６- ２８７８３６号公報
【発明の開示】
【発明が解決しようとする課題】
【０００６】
そこで、本発明は、手織り愛好者が、卓上手織り機のような経糸密度の低いレベルの製法に対し、より高いレベルの製法を習得できる機会を可能にする運搬可能な手織り機を具現化させることを課題とする。
【課題を解決するための手段】
【０００７】
本発明に係る手織り機では、前記経糸巻き付け部１０を保持する１組の経糸巻き付け部保持側板５０と、前記織布巻き取り部１１を保持して前記経糸巻き付け部保持側板５０に交差する１組の織布巻き取り部側板５１とを有し、それらの交点となる上部接点部５２を中心として２組の側板５０，５１が開閉可能になる構造を有し、経糸巻き付け部保持側板５０又は織布巻き取り部側板５１に、回転の中心点を持つ前脚５３又は後脚５４が回転可能に連結され、収納時には、経糸巻き付け部１０と織布巻き取り部１１が接近することが可能で、製織時床面に接している前脚５３及び後脚５４の端部が経糸巻き付け部保持側板５０又は織布巻き取り部側板５１の前脚回転支点５５と後脚回転支点５６を中心として回転することにより経糸巻き付け部１０と織布巻き取り部１１に接近するようになっている、という構成を採用することが可能である。
【０００８】
この発明によれば、折りたたんで持ち運びが可能なコンパクトな足踏みタイプの手織り機を実現することができ、本格的な織物を手織り教室で学ぶとともに、織物教室での続きを同じ手織り機を使用し、自宅で行うことが可能な手織り機を提供することができる。
【０００９】
本発明に係る手織り機では、２枚の綜絖枠１２，１３の下部相互間を連結する連結部材４３の中間部を２枚の綜絖枠１２，１３の相互間に配置されたロクロ４０に巻き掛けることによって、それら２枚の綜絖枠１２，１３が引き違い式に交互に上下動して経糸６０を開口させるように構成されていると共に、それぞれの綜絖枠１２，１３を２枚の足踏み板４１，４１に個別に連結してある、という構成を採用することが可能である。
【００１０】
この発明によれば、綜絖枠の上部に手織り機の構造物を構成する必要性がなくなり、手織り機自体の高さを低く抑えることが可能になる。
【００１１】
本発明に係る手織り機では、収納時に手織り機を分離せずに収納高さ６２を６０ｃｍ以下、収納奥行き６３を４０ｃｍ以下に折りたためる、という構成を採用することが可能である。
【００１２】
この発明によれば、手織り機を分離せず、収納高さ６２を６０ｃｍ以下、収納奥行き６３を４０ｃｍ以下に折り収納することにより、運搬を可能となる足踏みタイプの手織り機を提供することができる。
【発明の効果】
【００１３】
本発明は、手織り機を分離せず、手織り機をコンパクトに折りたたみ収納することができ、手織り機を運搬を可能となる足踏みタイプの手織り機を実現することができる。また、本格的な織物を手織り教室で学ぶとともに、織物教室での続きを同じ手織り機を使用し、自宅で行うことが可能となる。
【発明を実施するための最良の形態】
【００１４】
以下、図面に示す実施の形態により、本発明を詳細に説明する。
【００１５】
図１は、本発明における手織り機の製織時の状態を図示するものであり、綜絖枠１２，１３に連結された足踏み板４１を操作することにより経糸６０を開口させる機構を示している。経糸６０を巻回することの出来る経糸巻き付け部１０を保持する１組の経糸巻き付け部保持側板５０と、この経糸巻き付け部１０と平行に配置され織布を巻き取ることのできる織布巻き取り部１１を保持する１組の織布巻き取り部側板５１とを有し、この経糸巻き付け部保持側板５０と織布巻き取り部側板５１とが交差し、この交点となる上部接点部５２を中心として、２組の側板５０，５１が開閉可能になる構造を有し、経糸巻き付け部保持側板５０の上部接点部５２を境として経糸巻き付け部１０と反対の端部に、回転の中心点である前脚回転支点５５を持つ回転可能な前脚５３を有し、織布巻き取り部側板５１の上部接点部５２を境として織布巻き取り部１１と反対の端部に、回転の中心点である後脚回転支点５６を持つ回転可能な後脚５４を有した構造になっている。
【００１６】
また、綜絖ガイド側板４５は、織布巻き取り部側板５１端部の後脚回転支点５６にて、織布巻き取り部側板５１と後脚５４と同じ連結材を介し繋がっており、製織時は各固定ネジ５７により、経糸巻き付け部保持側板５０、織布巻き取り部側板５１、前脚５３、後脚５４、綜絖ガイド側板４５を固定して使用する構造になっている。
【００１７】
なお、本発明の手織り機においては、経糸巻き付け部保持側板５０、織布巻き取り部側板５１、前脚５３、後脚５４、綜絖ガイド側板４５の固定にネジを用いず、凹凸のはめ込み方式、鈎状の部材による連結、ピンによるロック等の方法を用てもよい。
【００１８】
図２は、本発明における製織時の手織り機の折りたたみ収納時の状態を図示するものであり、収納時、経糸巻き付け部１０と織布巻き取り部１１が接近することが可能で、製織時床面に接している前脚５３、後脚５４の端部が、経糸巻き付け部保持側板５０端部の前脚回転支点５５、織布巻き取り部側板５１端部の後脚回転支点５６を中心として回転し、経糸巻き付け部１０と織布巻き取り部１１に接近する折りたたみ機構になっており、手織り機を分離せず、収納高さ６２を６０ｃｍ以下、収納奥行き６３を４０ｃｍ以下に折りたたむことが可能である。
【００１９】
なお、折りたたみ収納時、製織中の織布ならびに経糸を取り付けたまま折りたため、折りたたんだ状態から再度図１の状態に戻すことが可能である。
【００２０】
図３は、本発明における手織り機の他の要部を図示するものである。同図のように、交互に上下動する２枚の綜絖枠１２，１３に紐４４を介して個別に連結された２枚の足踏み板４１を有していて、２枚の足踏み板４１を操作することにより経糸６０を開口させることができるようになっている。すなわち、綜絖枠１２，１３が上下方向にスライド可能なガイド部４２を有し、２枚の綜絖枠１２，１３の間にロクロ４０が配置され、このロクロ４０の高さ位置が経糸６０の下口開口４７や上口開口４６の高さ位置より低くなっていて、高分子素材の連結部材４３がこのロクロ４０を介して２枚の綜絖下部に連結された構造となっている。なお、４５は綜絖ガイド側板、６１は緯糸を示している。
【００２１】
このロクロの位置により、上口開口４６の綜絖枠１３の上部に手織り機の構造物を配置する必要性がなくなって手織り機の高さを低くおさえることが可能である。
【００２２】
図４は、本発明における手織り機の製織時状態の他の実施形態を図示するものであり、図１において、経糸巻き付け部保持側板５０の上部接点部５２を境として経糸巻き付け部１０と反対の端部に、回転の中心点である前脚回転支点５５を持つ回転可能な前脚５３を有し、織布巻き取り部側板５１の上部接点部５２を境として織布巻き取り部１１と反対の端部に、回転の中心点である後脚回転支点５６を持つ回転可能な後脚５４を有した構造を示したが、本発明の手織り機は、経糸巻き付け部保持側板５０に回転の中心点である後脚回転支点５６を持つ回転可能な後脚５４と、織布巻き取り部側板５１に回転の中心点である前脚回転支点５５を持つ回転可能な前脚５３を有した構造であってもよい。
【図面の簡単な説明】
【００２３】
【図１】本発明に係る手織り機の製織時の斜視図である。
【図２】本発明に係る手織り機の要部側面図である。
【図３】本発明に係る手織り機の要部側面図である。
【図４】本発明に係る手織り機の製織時の他の実施形態を示す斜視図である。
【符号の説明】
【００２４】
１０：経糸巻き付け部
１１：織布巻取り部
１２：綜絖枠
１３：綜絖枠
４０：ロクロ
４１：足踏み板
４２：ガイド部                               
４３：連結部材
４４：紐
４５：綜絖ガイド側板
４６：上口開口
４７：下口開口
５０：経糸巻き付け部保持側板
５１：織布巻き取り部側板
５２：上部接点部
５３：前脚
５４：後脚
５５：前脚回転支点
５６：後脚回転支点
５７：固定ネジ
６０：経糸
６１：緯糸
６２：収納高さ
６３：収納奥行き
【図１】
2006265800.tif 000003
【図２】
2006265800.tif 000004
【図３】
2006265800.tif 000005
【図４】
2006265800.tif 000006